(57)【要約】【課題】セキュリティーを確保した上で、スキャンにより得られた画像データを、汎用性の高いデータ形式に変換可能にする。【解決手段】画像形成装置１は、原稿から画像を読み取る原稿読取部５と、原稿読取部５による読取で得られた画像データに対して文字認識処理を行う文字認識部１０３と、文字認識部１０３による認識結果を用いて上記画像データを、予め定められたアプリケーションソフトウェアで利用可能なデータに変換する変換部１０４と、文字認識部１０３による認識結果が示す文字列に、予め定められたキーワードが存在するか否かを判断する判断部１０５とを備え、変換部１０４は、文字列に上記キーワードが存在すると判断した場合には、編集が制限される形式で上記変換を行い、上記文字列に上記キーワードが存在しないと判断した場合には、編集が制限されない形式で上記変換を行う。【選択図】図１
2019117987.tif 000002
【特許請求の範囲】
【請求項１】
原稿から画像を読み取る原稿読取部と、
前記原稿読取部による読み取りで得られた画像データに対して文字認識の処理を行う文字認識部と、
前記文字認識部による認識結果を用いて、前記原稿読取部による読み取りで得られた画像データを、予め定められたアプリケーションソフトウェアで利用可能なデータに変換する変換部と、
前記文字認識部による認識結果が示す文字列に、予め定められたキーワードが存在するか否かを判断する判断部とを備え、
前記変換部は、前記文字列に前記予め定められたキーワードが存在すると判断した場合には、編集が制限される形式で前記変換を行い、前記文字列に前記予め定められたキーワードが存在しないと判断した場合には、編集が制限されない形式で前記変換を行う画像処理装置。
【請求項２】
前記判断部が、前記文字列に前記予め定められたキーワードが存在すると判断した場合には、前記変換部は、前記原稿読取部による読み取りで得られた画像データに対する前記変換を行わず、前記原稿読取部による読み取りで得られた画像データを、予め定められた編集不可の画像形式のデータに変換する請求項１に記載の画像処理装置。
【請求項３】
前記判断部が、前記文字列に前記予め定められたキーワードが存在すると判断した場合には、前記変換部は、前記原稿読取部による読み取りで得られた画像データに対する前記変換を、読み取り専用のデータに変換することにより行う請求項１に記載の画像処理装置。
【請求項４】
前記判断部が、前記文字列に前記予め定められたキーワードが存在すると判断した場合には、前記変換部は、前記原稿読取部による読み取りで得られた画像データに対する前記変換を、パスワードが設定されたデータに変換することにより行う請求項１に記載の画像処理装置。
【請求項５】
前記予め定められたキーワードが、機密性を求める意味を有する文字である請求項１乃至請求項４のいずれかに記載の画像処理装置。
【請求項６】
前記原稿読取部による読み取りで得られた画像データを、複数のファイルに分割する分割部を更に備え、
前記分割部が、前記原稿読取部による読み取りで得られた画像データを、複数のファイルに分割する場合には、
前記判断部は、前記分割部が分割したファイル毎に、前記文字認識部による認識結果が示す文字列に、前記予め定められたキーワードが存在するか否かを判断し、
前記変換部は、前記判断部が前記予め定められたキーワードが存在すると判断したファイルについては、編集が制限される形式で前記変換を行い、前記判断部が前記予め定められたキーワードが存在しないと判断したファイルについては、編集が制限されない形式で前記変換を行う請求項１乃至請求項５のいずれかに記載の画像処理装置。
【請求項７】
前記原稿読取部で読み取られた前記原稿が複数のページを有する場合、
前記判断部は、前記ページ毎に、前記文字認識部による認識結果が示す文字列に、前記予め定められたキーワードが存在するか否かを判断し、
前記変換部は、前記判断部が前記予め定められたキーワードが存在すると判断したページについては、編集が制限される形式で前記変換を行い、前記判断部が前記予め定められたキーワードが存在しないと判断したページについては、編集が制限されない形式で前記変換を行う請求項１乃至請求項６のいずれかに記載の画像処理装置。
【発明の詳細な説明】
【技術分野】
【０００１】
本発明は、画像処理装置に関し、特に、スキャンにより得られた画像データを他のデータ形式に変換する際の技術に関する。
【背景技術】
【０００２】
ＯＣＲ（Optical character recognition）技術の向上により、複合機等で原稿をスキャンすることによって得られた画像データは、表計算ソフト、文書編集ソフト、プレゼンテーションソフトで等のアプリケーションソフトウェアで利用可能な形式のデータに変換してファイル化することで、ＰＣ（パーソナルコンピューター）上で原稿内容の編集が可能となっている。例えば、下記の特許文献１には、スキャンで得られた画像データを、上記のようなアプリケーションソフトウェアで利用可能なデータに変換することが記載されている。
【先行技術文献】
【特許文献】
【０００３】
【特許文献１】特開２００８−２８２１４９号公報
【発明の概要】
【発明が解決しようとする課題】
【０００４】
原稿を上記のようにファイル化して、ＰＣ等で編集可能になれば便利であるが、ファイル化するのに好ましくない原稿も存在する。例えば、「社外秘」「Confidential」という、秘匿性の高いことを示す文言が記載されている原稿をファイル化し、誰でもが自由に編集可能となるのはセキュリティーが確保できない虞がある。
【０００５】
本発明は、上記の事情に鑑みなされたものであり、セキュリティーを確保した上で、スキャンにより得られた画像データを、汎用性の高いデータ形式に変換可能にすることを目的とする。
【課題を解決するための手段】
【０００６】
本発明の一局面に係る画像処理装置は、原稿から画像を読み取る原稿読取部と、前記原稿読取部による読み取りで得られた画像データに対して文字認識の処理を行う文字認識部と、前記文字認識部による認識結果を用いて、前記原稿読取部による読み取りで得られた画像データを、予め定められたアプリケーションソフトウェアで利用可能なデータに変換する変換部と、前記文字認識部による認識結果が示す文字列に、予め定められたキーワードが存在するか否かを判断する判断部とを備え、前記変換部は、前記文字列に前記予め定められたキーワードが存在すると判断した場合には、編集が制限される形式で前記変換を行い、前記文字列に前記予め定められたキーワードが存在しないと判断した場合には、編集が制限されない形式で前記変換を行う。
【発明の効果】
【０００７】
本発明によれば、原稿に予め定められたキーワードが存在する場合には、編集が制限される形式で、原稿読取部による読み取りで得られた画像データが、予め定められたアプリケーションソフトウェアで利用可能なデータに変換される。これにより、予め定められたキーワードが存在する原稿については、セキュリティーを高めた上で、予め定められたアプリケーションソフトウェアで利用可能な汎用性の高いデータ形式とすることが可能になる。
【図面の簡単な説明】
【０００８】
【図１】本発明の第１実施形態に係る画像処理装置の一実施形態としての画像形成装置の主要内部構成を概略的に示した機能ブロック図である。
【図２】データ変換について説明するための説明図であり、（Ａ）は変換前の原稿を示し、（Ｂ）はデータ変換で得られた変換結果を示している。
【図３】データ変換について説明するための説明図であり、（Ａ）は変換前の原稿を示し、（Ｂ）はデータ変換で得られた変換結果を示している。
【図４】第１実施形態に係る画像形成装置の制御ユニットで行われる処理の一例を示したフローチャートである。
【図５】データ変換について説明するための説明図であり、（Ａ）は変換前の原稿を示し、（Ｂ）はデータ変換で得られた変換結果を示している。
【図６】第２実施形態に係る画像処理装置の一実施形態としての画像形成装置の主要内部構成を概略的に示した機能ブロック図である。
【図７】データ変換について説明するための説明図であり、（Ａ）は変換前の原稿を示し、（Ｂ）はデータ変換で得られた変換結果を示している。
【図８】データ変換について説明するための説明図であり、（Ａ）は変換前の原稿を示し、（Ｂ）はデータ変換で得られた変換結果を示している。
【発明を実施するための形態】
【０００９】
以下、本発明の一実施形態に係る画像処理装置について図面を参照して説明する。図１は、本発明の第１実施形態に係る画像処理装置の一実施形態としての画像形成装置の主要内部構成を概略的に示した機能ブロック図である。
【００１０】
画像形成装置１は、例えば、コピー機能、プリンター機能、スキャナー機能、及びファクシミリ機能のような複数の機能を兼ね備えた複合機である。画像形成装置１は、制御ユニット１０、原稿給送部６、原稿読取部５、画像形成部１２、定着部１３、給紙部１４、及び操作部４７を備える。
【００１１】
画像形成装置１で原稿読取動作が行われる場合について説明する。原稿給送部６により搬送されてきた原稿、又はプラテンガラスに載置されている原稿の画像を、原稿読取部５が光学的に読み取り、そして画像データを生成する。原稿読取部５により生成された画像データは、図略の画像メモリー等に保存される。
【００１２】
画像形成装置１で画像形成動作が行われる場合について説明する。原稿読取動作により生成された画像データや、ネットワーク接続された外部装置としてのコンピューターから受信した画像データ等に基づいて、画像形成部１２が、給紙部１４から給紙される記録媒体としての記録紙にトナー像を形成する。
【００１３】
定着部１３は、熱圧着によりトナー像を記録紙に定着させるものであり、定着処理が施された記録紙は排出トレイに排出される。給紙部１４は、給紙カセットを備える。
【００１４】
操作部４７は、画像形成装置１が実行可能な各種動作及び処理について、操作者から、画像形成動作実行指示等の指示を受け付ける。操作部４７は、操作者への操作案内等を表示する表示部４７３を備えている。表示部４７３はタッチパネルになっており、操作者は画面表示されるボタンやキーに触れて画像形成装置１を操作することができる。
【００１５】
制御ユニット１０は、プロセッサー、ＲＡＭ（Random Access Memory）、ＲＯＭ（Read Only Memory）、及び専用のハードウェア回路を含んで構成される。プロセッサーは、例えばＣＰＵ（Central Processing Unit）、ＡＳＩＣ（Application Specific Integrated Circuit）、又はＭＰＵ（Micro Processing Unit）等である。制御ユニット１０は、制御部１００と、操作受付部１０１と、文字認識部１０３と、変換部１０４と、判断部１０５とを備えている。
【００１６】
制御ユニット１０は、ＨＤＤ（Hard Disk Drive）９２に記憶されている制御プログラムに従った動作により、制御部１００、操作受付部１０１、文字認識部１０３、変換部１０４、及び判断部１０５として機能するものである。但し、制御部１００等は、制御ユニット１０による制御プログラムに従った動作によらず、それぞれハードウェア回路により構成することも可能である。以下、特に触れない限り、各実施形態について同様である。
【００１７】
制御部１００は、画像形成装置１の全体的な動作制御を司る。制御部１００は、原稿給送部６、原稿読取部５、画像形成部１２、定着部１３、給紙部１４、及び操作部４７と接続され、これら各部の駆動制御等を行う。
【００１８】
操作受付部１０１は、操作部４７を介してユーザーからの操作入力を受け付ける。また、操作受付部１０１は、変換指示受付部１０２を備えている。変換指示受付部１０２は、原稿読取部５による読み取りで得られた画像データを、予め定められたアプリケーションソフトウェア（例えば、表計算ソフトウェアや文書編集ソフトウェア、プレゼンテーション作成ソフトウェア等）で利用可能なデータ形式（例えば、Excel形式やWord形式、PPT形式のデータ）に変換させる変換指示を受け付ける。
【００１９】
文字認識部１０３は、原稿読取部５による読み取りで得られた画像データに対してＯＣＲ（Optical character recognition）処理等の文字認識処理を行う。
【００２０】
変換部１０４は、変換指示受付部１０２が上記変換指示を受け付けた場合に、文字認識部１０３による認識結果を用いて、原稿読取部５による読み取りで得られた画像データを、上記変換指示が示す内容に従って、上記予め定められたアプリケーションソフトウェアで利用可能なデータ（例えば、Excel形式やWord形式、PPT形式のデータ）に変換する。変換部１０４は、当該予め定められたアプリケーションソフトウェア、又は、少なくとも当該予め定められたアプリケーションソフトウェアで利用可能なデータに変換するためのアプリケーションソフトを記憶している。
【００２１】
例えば、図２（Ａ）に示すように、５ページからなる原稿Ｄ１〜Ｄ５を例えばｊｐｅｇ形式により原稿読取部５に読み取らせ、変換指示受付部１０２がWord形式のデータへの変換を指示する変換指示を受け付けた場合、変換部１０４は、図２（Ｂ）に示すように、原稿Ｄ１〜Ｄ５の画像データをWord形式のデータに変換し、データ変換によって得られたWord文書Ｗ１〜Ｗ５を一つのファイルＦ１として作成する。そして、制御部１００が、当該ファイルＦ１をＨＤＤ９２に保存する。
【００２２】
また、図３（Ａ）に示すように、５ページからなる原稿Ｄ１〜Ｄ５を原稿読取部５に読み取らせる際に、変換指示受付部１０２がExcel形式のデータへの変換を指示する変換指示を受け付けた場合、変換部１０４は、図３（Ｂ）に示すように、原稿Ｄ１〜Ｄ５の画像データをExcel形式のデータに変換して、データ変換によって得られたExcel文書それぞれのワークシートＷＳ１〜ＷＳ５を一つのファイルＦ２として作成する。そして、制御部１００が、当該ファイルＦ２をＨＤＤ９２に保存する。
【００２３】
判断部１０５は、文字認識部１０３による認識結果が示す文字列に、予め定められたキーワードが存在するか否かを判断する。当該予め定められたキーワードは、例えば上記原稿が秘密であることを示す内容を含むもの、例えば、「秘密」「機密」「社外秘」や「マル秘（秘を丸で囲んだ囲み文字）」、「Confidential」等である。
【００２４】
また、変換部１０４は、上記文字列に上記予め定められたキーワードが存在すると判断した場合には、編集が制限される形式で上記変換を行い、上記文字列に上記予め定められたキーワードが存在しないと判断した場合には、編集が制限されない形式で上記変換を行う。
【００２５】
次に、第１実施形態に係る画像形成装置１の制御ユニット１０で行われる処理の一例について、図４に示したフローチャートに基づいて説明する。
【００２６】
操作受付部１０１が、原稿のスキャン開始の指示をユーザーから操作部４７を介して受け付けると、制御部１００は、原稿読取部５の動作を制御して、原稿読取部５に原稿を読み取らせる（Ｓ１）。
【００２７】
続いて、制御部１００が、変換指示受付部１０２が上記変換指示をユーザーから受け付けているか否かを判断する（Ｓ２）。制御部１００は、変換指示受付部１０２が上記変換指示を受け付けていないと判断した場合（Ｓ２でＮＯ）、原稿読取部５による読み取りで得られた画像データを、ＨＤＤ９２に保存する（Ｓ３）。この後、処理は終了する。
【００２８】
一方、制御部１００が、変換指示受付部１０２が上記変換指示を受け付けていると判断した場合（Ｓ２でＹＥＳ）、文字認識部１０３が、原稿読取部５による読み取りで得られた画像データに対してＯＣＲ処理等の文字認識の処理を行う（Ｓ４）。続いて、判断部１０５が、文字認識部１０３による認識結果が示す文字列に、上記キーワードが存在するか否かを判断する（Ｓ５）。
【００２９】
判断部１０５が、当該文字列に上記キーワードが存在しないと判断した場合（Ｓ５でＮＯ）、変換部１０４は、文字認識部１０３による認識結果に基づいて、原稿読取部５による読み取りで得られた画像データを、変換指示受付部１０２が受け付けた変換指示に従って、編集が制限されない形式で、ユーザーによって指示されたアプリケーションソフトウェアで利用可能なデータに変換する（Ｓ６）。制御部１００は、変換部１０４によるデータ変換で得られたデータ（例えば、図２（Ｂ）に示したWord文書Ｗ１〜Ｗ５）をＨＤＤ９２に保存する（Ｓ７）。この後、処理は終了する。
【００３０】
一方、判断部１０５が、文字認識部１０３による認識結果が示す文字列に、上記キーワードが存在すると判断した場合（Ｓ５でＹＥＳ）、変換部１０４が、編集が制限される形式で、原稿読取部５による読み取りで得られた画像データを、ユーザーによって指示された上記アプリケーションソフトウェアで利用可能なデータに変換する（Ｓ８）。そして、制御部１００が、当該データ変換によって作成されたデータをＨＤＤ９２に保存する（Ｓ９）。この後、処理は終了する。
【００３１】
例えば、図５（Ａ）に示すように、２ページ目の原稿Ｄ１２に「マル秘」という文言が存在する、５ページからなる原稿Ｄ１１〜Ｄ１５を原稿読取部５に読み取らせる際に、変換指示受付部１０２がWord形式のデータへの変換を指示する変換指示を受け付けた場合、上記Ｓ８において、変換部１０４は、図５（Ｂ）に示すように、原稿読取部５による読み取りで得られた原稿Ｄ１１〜Ｄ１５の画像データを、編集が困難なデータ形式、例えばＰＤＦ（Portable Document Format）形式のデータに変換し、データ変換することによって得られたＰＤＦ文書Ｐ１〜Ｐ５を一つのファイルＦ３として作成する。上記Ｓ９において、制御部１００が当該ファイルＦ３をＨＤＤ９２に保存する。
【００３２】
また、ここでは変換部１０４が、原稿読取部５による読み取りで得られた原稿Ｄ１１〜Ｄ１５の画像データをＰＤＦ形式のデータに変換する場合について説明しているが、ＰＤＦ形式でなくても、編集が困難な形式であれば、別の形式でもよく、画像形式のデータ（例えば、Jpeg形式のデータ）に変換してもよい。
【００３３】
また、上記Ｓ８において変換部１０４が行う、編集が制限される形式でのデータ変換については、上記以外に下記（１）、（２）のいずれかを採用してもよい。また、変換部１０４は、上記に示したデータ変換方法、下記（１）、（２）のうち、操作部４７を介してユーザー（管理者ユーザー）から選択を受け付けたデータ変換方法を行うものとしてもよい。
【００３４】
（１）変換部１０４は、上記アプリケーションソフトウェアで利用可能なデータ（例えば、図２（Ｂ）に示したWord文書Ｗ１〜Ｗ５や、図３（Ｂ）に示したExcel文書のワークシートＷＳ１〜ＷＳ５）への変換を行うとき、読み取り専用のデータに変換する。
【００３５】
（２）変換部１０４は、上記アプリケーションソフトウェアで利用可能なデータへの変換を行うとき、パスワード（例えば、管理者ユーザーによって事前に設定されたパスワード）が設定されたデータに変換する。
【００３６】
上記第１実施形態によれば、原稿に予め定められたキーワード（例えば、社外秘やマル秘、Confidential）が存在する場合（すなわち、原稿が自由な編集が好ましくないものである場合）には、編集が制限される形式で、原稿読取部５による読み取りで得られた画像データが、上記アプリケーションソフトウェアで利用可能なデータに変換される。これにより、上記予め定められたキーワードが存在する原稿については、セキュリティーを高めた上で、上記アプリケーションソフトウェアで利用可能な汎用性の高いデータ形式とすることが可能になる。
【００３７】
図６は、第２実施形態に係る画像処理装置の一実施形態としての画像形成装置の主要内部構成を概略的に示した機能ブロック図である。第２実施形態に係る画像形成装置は、図１に示した画像形成装置１と、操作受付部１０１が分割指示受付部１０７を備える点、更には制御ユニット１０が分割部１０８を備える点で相違する。以下の説明では、図１に示した構成と同様の構成については、説明を省略する。
【００３８】
制御ユニット１０は、ＨＤＤ９２に記憶されている第２の制御プログラムに従った動作により、制御部１００、操作受付部１０１、文字認識部１０３、変換部１０４、判断部１０５、変換部１０４、分割指示受付部１０７、及び分割部１０８として機能する。但し、制御部１００等は、制御ユニット１０による制御プログラムに従った動作によらず、それぞれハードウェア回路により構成することも可能である。以下、特に触れない限り、各実施形態について同様である。
【００３９】
分割指示受付部１０７は、ユーザーによる操作部４７の操作で入力される、原稿読取部５による読み取りで得られた画像データを複数のファイルに分割させる分割指示を受け付ける。
【００４０】
分割部１０８は、分割指示受付部１０７が上記分割指示を受け付けた場合に、原稿読取部５による読み取りで得られた画像データを、上記分割指示に従って、複数のファイルに分割する。
【００４１】
例えば、図２（Ａ）に示すように、５ページからなる原稿Ｄ１〜Ｄ５を原稿読取部５に読み取らせる際に、分割指示受付部１０７が最初の３ページと残りの２ページとで２つのファイルに分割させる分割指示を受け付けた場合、分割部１０８は、原稿読取部５による読み取りで得られた原稿Ｄ１〜Ｄ５の画像データを分割して、原稿Ｄ１〜Ｄ３の画像データを一つのファイルとし、原稿Ｄ４，Ｄ５の画像データを別の一つのファイルとする。
【００４２】
判断部１０５は、分割部１０８が、原稿読取部５による読み取りで得られた画像データを複数のファイルに分割する場合には、分割部１０８が分割したファイル毎に、文字認識部１０３による認識結果が示す文字列に、上記キーワードが存在するか否かを判断する。
【００４３】
更に、変換部１０４は、判断部１０５が文字列に上記キーワードが存在すると判断したファイルについては、編集が制限される形式で、原稿読取部５による読み取りで得られた画像データを、上記アプリケーションソフトウェアで利用可能なデータに変換し、判断部１０５が文字列に上前キーワードが存在しないと判断したファイルについては、編集が制限されない形式で当該変換を行う。
【００４４】
例えば、図７（Ａ）に示すように、２ページ目の原稿Ｄ１２に「マル秘」という文言が存在する、５ページからなる原稿Ｄ１１〜Ｄ１５を原稿読取部５に読み取らせる際に、変換指示受付部１０２がWord形式のデータへの変換を指示するユーザー変換指示を受け付け、更に、分割指示受付部１０７が、最初の３ページを１つのファイルとし、残りの２ページを１つのファイルとするように分割させる分割指示をユーザーから受け付けた場合、変換部１０４が、図７（Ｂ）に示すように、原稿読取部５による読み取りで得られた原稿Ｄ１１〜Ｄ１３については、これらの画像データからなるファイルをＰＤＦ形式のデータに変換する。これにより、ＰＤＦ文書Ｐ１〜Ｐ３が一つのファイルＦ４として作成される。
【００４５】
残りの２ページである原稿Ｄ４，Ｄ５の画像データについては、変換部１０４が、Word形式のデータに変換する。これにより、Word文書Ｗ１４，Ｗ１５が１つのファイルＦ５として作成される。制御部１００は、これらファイルＦ４，Ｆ５をＨＤＤ９２に保存する。
【００４６】
また、更に別の実施形態としては、原稿読取部５で読み取られた原稿が複数のページを有する場合、判断部１０５が文字列に上記キーワードが存在すると判断したページ毎に、文字認識部１０３による認識結果が示す文字列に、上記キーワードが存在するか否かを判断する。
【００４７】
この場合、変換部１０４は、判断部１０５により文字列に上記キーワードが存在すると判断されたページについては、編集が制限される形式で、原稿読取部５による読み取りで得られた画像データを、上記アプリケーションソフトウェアで利用可能なデータに変換し、判断部１０５が文字列に上記キーワードが存在しないと判断したページについては、編集が制限されない形式で当該変換を行う。
【００４８】
例えば、図８（Ａ）に示すように、２ページ目の原稿Ｄ１２に「マル秘」という文言が存在する、５ページからなる原稿Ｄ１１〜Ｄ１５を原稿読取部５に読み取らせる際に、変換指示受付部１０２がExcel形式のデータへの変換を指示する変換指示を受け付けた場合、２ページ目の原稿Ｄ１２については、変換部１０４が、原稿Ｄ１２の画像データを、Jpeg形式のデータに変換する。
【００４９】
そして、変換部１０４は、１，３〜５ページ目の原稿Ｄ１１，Ｄ１３〜Ｄ１５を、Excel形式のデータに変換して、Excel文書のワークシートＷＳ１１〜ＷＳ１５を一つのファイルＦ６にまとめる。このとき、変換部１０４は、ワークシートＷＳ１２を空白で作成し、当該ワークシートＷＳ１２には、Jpeg形式のデータに変換した画像Ｊ１２を貼り付ける。制御部１００は、当該ファイルＦ６をＨＤＤ９２に保存する。
【００５０】
また、本発明は上記実施の形態の構成に限られず種々の変形が可能である。また、上記実施形態では、本発明に係る画像処理装置の一実施形態として複合機を用いて説明しているが、これは一例に過ぎず、例えば、コピー機能、ファクシミリ機能、スキャナー機能等を有した他の画像処理装置でもよい。
【００５１】
また、上記実施形態では、図１乃至図８を用いて上記実施形態により示した構成及び処理は、本発明の一実施形態に過ぎず、本発明を当該構成及び処理に限定する趣旨ではない。
【符号の説明】
【００５２】
１        画像形成装置
５        原稿読取部
１００    制御部
１０３    文字認識部
１０４    変換部
１０５    判断部
１０８    分割部
【図１】
2019117987.tif 000003
【図２】
2019117987.tif 000004
【図３】
2019117987.tif 000005
【図４】
2019117987.tif 000006
【図５】
2019117987.tif 000007
【図６】
2019117987.tif 000008
【図７】
2019117987.tif 000009
【図８】
2019117987.tif 000010